(57)【要約】      （修正有）【課題】構造が簡単で、操作が簡単で持ち運びやすいスタンド機能付き携帯式ディスプレイを提供する。【解決手段】ディスプレイ本体１、及び支持役割を果たすボード本体２を備え、ディスプレイ本体１は接続機構を介してボード本体２に回転接続される。接続機構は、回転軸部材４、回転軸部材４に固定される固定板５及び回転軸部材４に回転接続される接続板６を備える。固定板５はボード本体２に固定接続される。接続板６はディスプレイ本体１に固定接続される。ディスプレイ本体１は、表示パネル７及び表示パネル７に固定されるカバープレート８を備える。【選択図】図２
0003226852.tif 000002
【実用新案登録請求の範囲】
【請求項１】
ディスプレイ本体（１）、及び支持役割を果たすボード本体（２）を備え、前記ディスプレイ本体（１）は接続機構（３）を介して前記ボード本体（２）に回転接続されることを特徴とするスタンド機能付き携帯式ディスプレイ。
【請求項２】
前記接続機構（３）は、回転軸部材（４）、前記回転軸部材（４）に固定される固定板（５）及び前記回転軸部材（４）に回転接続される接続板（６）を備えることを特徴とする請求項１に記載のスタンド機能付き携帯式ディスプレイ。
【請求項３】
前記固定板（５）は前記ボード本体（２）に固定接続されることを特徴とする請求項２に記載のスタンド機能付き携帯式ディスプレイ。
【請求項４】
前記接続板（６）は前記ディスプレイ本体（１）に固定接続されることを特徴とする請求項３に記載のスタンド機能付き携帯式ディスプレイ。
【請求項５】
前記ディスプレイ本体（１）は、表示パネル（７）及び前記表示パネル（７）に固定されるカバープレート（８）を備えることを特徴とする請求項４に記載のスタンド機能付き携帯式ディスプレイ。
【請求項６】
前記ボード本体（２）には磁気吸引部材が設けられることを特徴とする請求項５に記載のスタンド機能付き携帯式ディスプレイ。
【請求項７】
前記ディスプレイ本体（１）は前記ボード本体（２）に電気接続されることを特徴とする請求項１−６のいずれかに記載のスタンド機能付き携帯式ディスプレイ。
【請求項８】
前記ディスプレイ本体（１）の側縁のうちの一方の側縁は前記ボード本体（２）の側縁のうちの一方の側縁と隣接し、前記接続機構（３）を介して回転接続されることを特徴とする請求項１に記載のスタンド機能付き携帯式ディスプレイ。
【請求項９】
前記ディスプレイ本体（１）の側縁のうちの一方の側縁は前記ボード本体（２）の側縁のうちの一方の側縁と隣接し、前記ボード本体（２）の側縁のうちの一方の側縁と相対する他方の側縁は前記接続機構（３）を介して前記ディスプレイ本体（１）に回転接続されることを特徴とする請求項１に記載のスタンド機能付き携帯式ディスプレイ。
【考案の詳細な説明】
【技術分野】
【０００１】
本考案はディスプレイ構造の技術分野に関し、具体的にはスタンド機能付き携帯式ディスプレイに関する。
【背景技術】
【０００２】
ディスプレイは広く使用されており、  ＴＹＰＥ−Ｃは、ディスプレイ分野での適用に伴い、徐々に携帯電話と組み合わせて使用され、元のコンピューターに取って代わった。しかし、現在のディスプレイは基本的に固定型と携帯型に分かれており、いわゆる携帯型は通常、別体のスタンドが必要であるため、使い勝手が悪く、持ち運びに不便である。上記問題を解決するために、本考案の構想を提案する。
【考案の概要】
【考案が解決しようとする課題】
【０００３】
本考案の目的は、従来技術に存在している上記欠陥のうちの少なくとの１種を解決するために、スタンド機能付き携帯式ディスプレイを提供することである。
【課題を解決するための手段】
【０００４】
上記目的を達成するために、本考案は、ディスプレイ本体、及び支持役割を果たすボード本体を備え、前記ディスプレイ本体は接続機構を介して前記ボード本体に回転接続されるスタンド機能付き携帯式ディスプレイを提供する。
【０００５】
本考案のさらなる改善では、前記接続機構は、回転軸部材、前記回転軸部材に固定される固定板及び前記回転軸部材に回転接続される接続板を備える。
【０００６】
本考案のさらなる改善では、前記固定板は前記ボード本体に固定接続される。
【０００７】
本考案のさらなる改善では、前記接続板は前記ディスプレイ本体に固定接続される。
【０００８】
本考案のさらなる改善では、前記ディスプレイ本体は、表示パネル及び前記表示パネルに固定されるカバープレートを備える。
【０００９】
本考案のさらなる改善では、前記ボード本体には磁気吸引部材が設けられる。
【００１０】
本考案のさらなる改善では、前記ディスプレイ本体は前記ボード本体に電気接続される。
【００１１】
本考案のさらなる改善では、前記ディスプレイ本体の側縁のうちの一方の側縁は前記ボード本体の側縁のうちの一方の側縁と隣接し、前記接続機構を介して回転接続される。
【００１２】
本考案のさらなる改善では、前記ボード本体の側縁のうちの一方の側縁と相対する他方の側縁は前記接続機構を介してディスプレイ本体に回転接続される。
【００１３】
以上のように、本考案は、以下の有益効果を有する。
【００１４】
このスタンド機能付き携帯式ディスプレイは、ディスプレイ本体、及び支持役割を果たすボード本体を備え、前記ディスプレイ本体は接続機構を介して前記ボード本体に回転接続され、上記の設計を採用することにより、ディスプレイとボード本体はいずれも別体であり、ディスプレイとボード本体の連携により、両者は折りたたまれたり展開したりすることができ、これにより、支持機能を持つようになり、元のディスプレイに必要な別体のスタンドが削減され、構造が簡単で合理的であり、使用しやすいという特徴を有し、かつ操作が簡単で持ち運びやすく、ユーザーのニーズを満たすことができ、普及に有利であり、実用性が高い。
【００１５】
以下、図面及び具体的な実施例を参照しながら本考案を更に説明する。
【図面の簡単な説明】
【００１６】
【図１】本考案の全体構造模式図である。
【図２】本考案の分解構造模式図である。
【図３】本考案の一実施例の構造模式図である。
【図４】本考案の一実施例の分解構造模式図である。
【考案を実施するための形態】
【００１７】
本考案の説明では、「長さ」、「幅」、「上」、「下」、「前」、「後」、「左」、「右」、「鉛直」、「水平」、「頂」、「底」、「内」、「外」等の用語で表れる方位又は位置関係は、図示に基づく方位又は位置関係であり、本考案を便利にまたは簡単に説明するためのものに過ぎず、示された装置又は部品が特定の方位にあり、特定の方位において構成され、操作されると指示又は暗示するものではないため、本考案に対する限定と理解されるべきではない。
【００１８】
図１−４に示すように、本考案に係るスタンド機能付き携帯式ディスプレイは、長方形のディスプレイ本体１、及び支持役割を果たすボード本体２を備え、前記ディスプレイ本体１は、接続機構３を介して前記ボード本体２に回転接続され、前記接続機構３は、回転軸部材４、前記回転軸部材４に固定される固定板５及び前記回転軸部材４に回転接続される接続板６を備え、前記固定板５は前記ボード本体２に固定接続され、前記接続板６は前記ディスプレイ本体１に固定接続され、前記ディスプレイ本体１はボード本体２に電気接続される。具体的には、前記ディスプレイ本体１は、表示パネル７及び前記表示パネル７に固定されるカバープレート８を備え、ボード本体２はケーシングを有するボード本体２であり、回転軸部材４と固定板５は一体成形され、更に、ボード本体２には磁気吸引部材が設けられ、磁気吸引部材を採用することにより、ディスプレイ本体１とボード本体２が折り畳まれたとき、吸引の役割を果たし、折り畳みの安定性を強化した。ボード本体２とディスプレイ本体１との迅速な取り付けを容易にするように、ディスプレイ本体１には、接続板６に係合する取付溝９が設けられる。
【００１９】
図１−２に示すように、実施例では、ディスプレイ本体１の側縁のうちの一方の側縁はボード本体２の側縁のうちの一方の側縁と隣接し、接続機構３を介して回転接続され、接続機構３の固定板５はボード本体２の一方の側縁に固定され、回転軸部材４に回転接続される接続板６はディスプレイ本体１の一方の側縁上に固定され、カバープレート８の一側に位置し、これによりディスプレイ本体１とボード本体２との回転接続が実現される。使用される場合、ボード本体２を回転することにより、ディスプレイ本体１と角をなし、展開状態ではＬ字形となり、これにより、支持役割が達成される。使用されない場合、ボード本体２を回転して折り畳み、ディスプレイ本体１のカバープレート８と接触させることができる。これにより、スペースが節約され、収納及び携帯が容易であるので、携帯の役割を果たす。
【００２０】
図３−４に示すように、一実施例では、ディスプレイ本体１の側縁のうちの一方の側縁はボード本体２の側縁のうちの一方の側縁と隣接し、水平に配置され、ボード本体２の側縁のうちの一方の側縁と相対する他方の側縁は接続機構３を介してディスプレイ本体１に回転接続され、回転軸部材４と固定板５はいずれもディスプレイ本体１のカバープレート８に固定され、回転軸部材４と回転接続される接続板６はボード本体２の他方の側縁に固定され、これによりディスプレイ本体１とボード本体２との回転接続が実現される。使用される場合、ボード本体２を回転することにより、ディスプレイ本体１と角をなし、展開状態では人字形となり、これにより、支持役割が達成される。使用されない場合、ボード本体２を回転して折り畳み、ディスプレイ本体１のカバープレート８と接触させることができる。これにより、スペースが節約され、収納及び携帯が容易であるので、携帯の役割を果たす。
【００２１】
以上のように、このようなスタンド機能付き携帯式ディスプレイのディスプレイとボード本体２は、いずれも分体設計であり、ディスプレイとボード本体２の連携により、両者は折り畳まれたり展開したりすることができ、これにより、支持機能を持つようになり、元のディスプレイに必要な別体のスタンドが削減され、構造が簡単で合理的であり、使用しやすいという特徴を有し、かつ操作が簡単で持ち運びやすく、ユーザーのニーズを満たすことができ、普及に有利であり、実用性が高い。
【００２２】
ただし、上記回転接続はヒンジ接続であってもよい。
【００２３】
本考案では、明確な規定と限定がない限り、「取り付け」、「互いに接続」、「接続」、「固定」などの用語の意味は広く理解されるべきである。例えば、固定接続や、着脱可能な接続や、あるいは一体的なものでも可能であり、機械的な接続や、電気接続でも可能であり、直接的に互いに接続することや、中間媒体を介して間接的に互いに接続することでも可能であり、２つの部品の内部が連通することでも可能である。そのうち、着脱可能な接続の形態は様々であり、例えば、差し込みバックルによる係合の形態であってもよく、また、ボルト接続の形態などであってもよい。
【００２４】
以上、本考案の目的、特徴、及び効果を完全に理解するように、実施例及び附図を参照しながら本考案の構想、具体的な構造及び生じる技術的効果を明確かつ完全に説明した。明らかなように、説明した実施例は本考案の一部分の実施例に過ぎず、ずべての実施例ではなく、本考案の実施例に基づいて、当業者が創造的な労働なしで得た他の実施例は、いずれも本考案の保護範囲に含まれる。また、言及したすべてのカップリング／接続関係は、直接接続のみを指すものではなく、具体的な実施状況に応じて、カップリング用の補助具を追加又は削減することにより、より優れたカップリング構造を構成することを指す。
【００２５】
上記実施例における本考案に対する具体的な説明は、本考案を更に説明するためのものに過ぎず、本考案の保護範囲を限定するためのものではなく、当業者が上記考案の内容に基づいて本考案に対して行う本質的でない改善と調整はいずれも本考案の保護範囲に含まれる。
[符号説明]
【００２６】
１…ディスプレイ本体、２…ボード本体、３…接続機構、４…回転軸部材、５…固定板、６…接続板、７…表示パネル、８…カバープレート、９…取付溝。
【図１】
0003226852.tif 000003
【図２】
0003226852.tif 000004
【図３】
0003226852.tif 000005
【図４】
0003226852.tif 000006
【手続補正書】
【提出日】令和2年4月20日(2020.4.20)
【手続補正１】
【補正対象書類名】実用新案登録請求の範囲
【補正対象項目名】全文
【補正方法】変更
【補正の内容】
【実用新案登録請求の範囲】
【請求項１】
ディスプレイ本体（１）、及び支持役割を果たすボード本体（２）を備え、前記ディスプレイ本体（１）は接続機構（３）を介して前記ボード本体（２）に回転接続されることを特徴とするスタンド機能付き携帯式ディスプレイ。
【請求項２】
前記接続機構（３）は、回転軸部材（４）、前記回転軸部材（４）に固定される固定板（５）及び前記回転軸部材（４）に回転接続される接続板（６）を備えることを特徴とする請求項１に記載のスタンド機能付き携帯式ディスプレイ。
【請求項３】
前記固定板（５）は前記ボード本体（２）に固定接続されることを特徴とする請求項２に記載のスタンド機能付き携帯式ディスプレイ。
【請求項４】
前記接続板（６）は前記ディスプレイ本体（１）に固定接続されることを特徴とする請求項３に記載のスタンド機能付き携帯式ディスプレイ。
【請求項５】
前記ディスプレイ本体（１）は、表示パネル（７）及び前記表示パネル（７）に固定されるカバープレート（８）を備えることを特徴とする請求項４に記載のスタンド機能付き携帯式ディスプレイ。
【請求項６】
前記ディスプレイ本体（１）は前記ボード本体（２）に電気接続されることを特徴とする請求項１−５のいずれかに記載のスタンド機能付き携帯式ディスプレイ。
【請求項７】
前記ディスプレイ本体（１）の側縁のうちの一方の側縁は前記ボード本体（２）の側縁のうちの一方の側縁と隣接し、前記接続機構（３）を介して回転接続されることを特徴とする請求項１に記載のスタンド機能付き携帯式ディスプレイ。
【請求項８】
前記ディスプレイ本体（１）の側縁のうちの一方の側縁は前記ボード本体（２）の側縁のうちの一方の側縁と隣接し、前記ボード本体（２）の側縁のうちの一方の側縁と相対する他方の側縁は前記接続機構（３）を介して前記ディスプレイ本体（１）に回転接続されることを特徴とする請求項１に記載のスタンド機能付き携帯式ディスプレイ。